(57)【要約】【課題】インフレーションフィルムの巻取りロールにおける巻径のムラを低減する。【解決手段】インフレーションフィルム２が環状ダイ１からピンチロール３に至る間においてインフレーションフィルムの厚みを計測し、この厚みデータに基づいてピンチロールを所定面内において一定速度で回転させながら、インフレーションフィルムを巻取りロールとして巻き取るインフレーションフィルム製造方法において、上記一定速度下における上記厚みデータを用いて巻取りロールの幅方向で巻径を計算し、次に上記一定速度を増速又は減速した変更速度下での上記厚みデータを用いた巻取りロールの幅方向での巻径の計算を行い、この幅方向での巻径のムラが上記一定速度下での幅方向の巻径のムラよりも低減していれば、上記一定速度を上記変更速度に変更する。【選択図】図１
2012162026.tif 000002
【特許請求の範囲】
【請求項１】
インフレーションフィルムが環状ダイからピンチロールに至る間又はピンチロールから巻取りロールに至る間においてインフレーションフィルムの厚みを計測し、この厚みデータに基づいて上記ピンチロールを所定面内において一定速度で回転させながら、上記インフレーションフィルムを上記巻取りロールとして巻き取るインフレーションフィルム製造方法において、上記一定速度下における上記厚みデータを用いて上記巻取りロールの幅方向での巻径を計算し、次に上記一定速度を増速又は減速した変更速度下での上記厚みデータを用いた上記巻取りロールの幅方向の巻径の計算を行い、この幅方向の巻径のムラが上記一定速度下での幅方向の巻径のムラよりも低減していれば、上記一定速度を上記変更速度に変更することを特徴とするインフレーションフィルム製造方法。
【請求項２】
インフレーションフィルムが環状ダイからピンチロールに至る間又はピンチロールから巻取りロールに至る間においてインフレーションフィルムの厚みを計測し、この厚みデータに基づいて上記環状ダイ又は上記環状ダイを含む押出し機を所定面内において一定速度で回転させながら、上記インフレーションフィルムを上記巻取りロールとして巻き取るインフレーションフィルム製造方法において、上記一定速度下における上記厚みデータを用いて上記巻取りロールの幅方向での巻径を計算し、次に上記一定速度を増速又は減速した変更速度下での上記厚みデータを用いた上記巻取りロールの幅方向の巻径の計算を行い、この幅方向の巻径のムラが上記一定速度下での幅方向の巻径のムラよりも低減していれば、上記一定速度を上記変更速度に変更することを特徴とするインフレーションフィルム製造方法。
【請求項３】
インフレーションフィルムが環状ダイからピンチロールに至る間又はピンチロールから巻取りロールに至る間においてインフレーションフィルムの厚みを計測し、この厚みデータに基づいて上記環状ダイと上記ピンチロールとの間に配置された冷却リングを所定面内において一定速度で回転させながら、上記インフレーションフィルムを上記巻取りロールとして巻き取るインフレーションフィルム製造方法において、上記一定速度下における上記厚みデータを用いて上記巻取りロールの幅方向での巻径を計算し、次に上記一定速度を増速又は減速した変更速度下での上記厚みデータを用いた上記巻取りロールの幅方向の巻径の計算を行い、この幅方向の巻径のムラが上記一定速度下での幅方向の巻径のムラよりも低減していれば、上記一定速度を上記変更速度に変更することを特徴とするインフレーションフィルム製造方法。
【発明の詳細な説明】
【技術分野】
【０００１】
本発明は、インフレーション法によるフィルムの製造方法に関する。
【背景技術】
【０００２】
インフレーション法は、図１に示すように、環状ダイ１より押出された円筒状の溶融樹脂を空気で膨張させてインフレーションフィルム２とし、これを空冷固化させた後に、ピンチロール３で扁平に折り畳み、最後に巻取りロール４として巻き取ろうというものである。
【０００３】
このインフレーション法は、環状ダイ１から押し出した溶融樹脂を空気で膨張させ、固化させているため、インフレーションフィルム２にはその周方向で厚みにムラすなわち偏肉２ａが生じやすいという問題がある。この偏肉２ａが発生すると、インフレーションフィルム２を巻き取ったときに、巻取りロール４の幅方向で局所的にインフレーションフィルム２の厚肉同士又は薄肉同士が積層し、巻取りロール４にその幅方向で直径差すなわち巻径差が発生し、巻取り後のインフレーションフィルム２にシワ、たるみ等のひずみが発生しやすくなる。
【０００４】
従来、このような巻取りロール４上での偏肉同士の積層を防止するため、環状ダイ１から押出された溶融樹脂をピンチロール３でシート状にする際に、ピンチロール３を円筒状のインフレーションフィルム２の軸を中心として水平面内で所定角度一定速度で回転させることで、巻取りロール４の幅方向に偏肉２ａの生じた部分を一様に分散させることが試みられている（例えば、特許文献１参照。）。
【０００５】
また、偏肉２ａを巻取りロール４の幅方向に一様に分散させる他の方法として、円筒状のインフレーションフィルム２を環状ダイの外周面に押圧ロールを押し付けながら押圧ロールをインフレーションフィルムの円筒の周方向に捩ることが提案されている（例えば、特許文献２参照。）。
【０００６】
その他、環状ダイ、巻取り機、押出し機等を回転機構によって水平面内で回転させたりすることも行われている。
【先行技術文献】
【特許文献】
【０００７】
【特許文献１】特開昭６３−２２４５９号公報
【特許文献２】特開昭５４−１５２０６０号公報
【発明の概要】
【発明が解決しようとする課題】
【０００８】
しかし、上記従来の方法は、インフレーションフィルムの製造中における偏肉の大きさや位置の変動、巻取りロールの巻取り中の形状の変化について考慮せず、ピンチロールの所定平面内での回転速度や環状ダイの回転速度は常時一定に設定される。そのため、インフレーションフィルムの製造中における偏肉の大きさや位置等の変化によって、巻取りロールに巻径差が顕著に現れるおそれがある。
【０００９】
この場合、オペレータが偏肉の大きさや位置の変動を目視で確認することにより、随時手動操作で上記旋回速度や回転速度を変更して巻取りロールの巻径差を減少させる事は理論上可能であるが、人的負担が増加するという問題が新たに生じ、また、熟練者によらなければ適正な制御を行うことは困難である。
【課題を解決するための手段】
【００１０】
上記課題を解決するため、本発明は次のような構成を採用する。
【００１１】
なお、本発明の理解を容易にするため括弧付きの符号を付すが、本発明はこれに限定されるものではない。
【００１２】
すなわち、請求項１に係る発明は、インフレーションフィルム（２）が環状ダイ（１）からピンチロール（３）に至る間又はピンチロール（３）から巻取りロール（４）に至る間においてインフレーションフィルム（２）の厚みを計測し、この厚みデータに基づいて上記ピンチロール（３）を所定面内において一定速度で回転させながら、上記インフレーションフィルム（２）を上記巻取りロール（４）として巻き取るインフレーションフィルム製造方法において、上記一定速度下における上記厚みデータを用いて上記巻取りロール（４）の幅方向で巻径を計算し、次に上記一定速度を増速又は減速した変更速度下での上記厚みデータを用いた上記巻取りロール（４）の幅方向での巻径の計算を行い、この幅方向での巻径のムラが上記一定速度下での幅方向の巻径のムラよりも低減していれば、上記一定速度を上記変更速度に変更することを内容とする。
【００１３】
また、請求項２に係る発明は、インフレーションフィルム（２）が環状ダイ（１）からピンチロール（３）に至る間又はピンチロール（３）から巻取りロール（４）に至る間においてインフレーションフィルム（２）の厚みを計測し、この厚みデータに基づいて上記環状ダイ（１）又は上記環状ダイ（１）を含む押出し機（５）を所定面内において一定速度で回転させながら、上記インフレーションフィルム（２）を上記巻取りロール（４）として巻き取るインフレーションフィルム製造方法において、上記一定速度下における上記厚みデータを用いて上記巻取りロール（４）の幅方向巻径を計算し、次に上記一定速度を増速又は減速した変更速度下での上記厚みデータを用いた上記巻取りロール（４）の幅方向での巻径の計算を行い、この幅方向での巻径のムラが上記一定速度下での幅方向の巻径のムラよりも低減していれば、上記一定速度を上記変更速度に変更することを内容とする。
【００１４】
また、請求項３に係る発明は、インフレーションフィルム（２）が環状ダイ（１）からピンチロール（３）に至る間又はピンチロール（３）から巻取りロール（４）に至る間においてインフレーションフィルム（２）の厚みを計測し、この厚みデータに基づいて上記環状ダイ（１）と上記ピンチロール（３）との間に配置された冷却リング（１２）を所定面内において一定速度で回転させながら、上記インフレーションフィルム（２）を上記巻取りロール（４）として巻き取るインフレーションフィルム製造方法において、上記一定速度下における上記厚みデータを用いて上記巻取りロール（４）の幅方向での巻径を計算し、次に上記一定速度を増速又は減速した変更速度下での上記厚みデータを用いた上記巻取りロール（４）の幅方向の巻径の計算を行い、この幅方向の巻径のムラが上記一定速度下での幅方向の巻径のムラよりも低減していれば、上記一定速度を上記変更速度に変更することを内容とする。
【発明の効果】
【００１５】
本発明によれば、インフレーションフィルム（２）に発生する偏肉に起因してインフレーションフィルム（２）の巻取りロール（４）にその幅方向で生じ得る巻径差を低減ないし解消し、巻取り後のインフレーションフィルム（２）にシワ、たるみ等のひずみが発生しないようにすることができる。
【図面の簡単な説明】
【００１６】
【図１】本発明に係るインフレーションフィルムの製造方法を実施するためのインフレーションフィルム製造装置の概略斜視図である。
【図２】（Ａ）はインフレーションフィルムをその円筒の周方向に一定速度で回転させた場合のインフレーションフィルムの厚みデータのグラフ、（Ｂ）は巻取りロールの巻径のバラツキを示すグラフである。
【図３】（Ａ）はインフレーションフィルムをその円筒の周方向に高速度で回転させた場合のインフレーションフィルムの厚みデータのグラフ、（Ｂ）は巻取りロールの巻径のバラツキを示すグラフである。
【図４】図２（Ｂ）と図３（Ｂ）とを重ねて表示した比較図である。
【図５】インフレーションフィルム製造装置の他の形態を示す概略斜視図である。
【図６】インフレーションフィルム製造装置の更に他の形態を示す概略斜視図である。
【発明を実施するための形態】
【００１７】
以下、図面を参照して本発明を実施するための形態について説明する。
【００１８】
＜実施の形態１＞
図１に示すように、このインフレーションフィルム製造方法の実施に使用される装置は、環状ダイ１が上向きに装着された押出し機５を有する。
【００１９】
環状ダイ１からは溶融樹脂が円筒状に押し出され、環状ダイ１の中心部からは空気が吐出され、この空気流によって、環状ダイ１から環状に押し出された溶融樹脂が円筒状のインフレーションフィルム２となって上昇する。
【００２０】
環状ダイ１の上方には、円筒状のインフレーションフィルム２をスリット部へと案内する一対の案内板６と、案内板６から出るインフレーションフィルム２を扁平にプレスするピンチロール３とが設けられる。
【００２１】
インフレーションフィルム２の流れ方向に見て、ピンチロール３の下流側には、扁平になったインフレーションフィルム２を案内する各種ガイドロール７が設けられ、これらガイドロール７を経てインフレーションフィルム２は巻取りロール４として巻き取られる。
【００２２】
既述のごとくインフレーションフィルム２の周方向には偏肉２ａが生じやすく、この偏肉２ａが筋状に発生したインフレーションフィルム２をそのまま巻き取ると、巻取りロール４の幅方向で局所的にインフレーションフィルム２の厚肉同士又は薄肉同士が積層し、巻取りロール４にその幅方向で直径差すなわち巻径差が発生する。このような巻取りロール４上での偏肉同士の積層を防止するため、この実施の形態１では案内板６とピンチロール３が円筒状のインフレーションフィルム２の軸芯ａを中心として水平面等所定平面内で所定方向に一定速度すなわち一定角速度で回転可能とされる。このピンチロール３等を回転させるための回転機構８は公知であるからその説明は省略する。
【００２３】
図１に示すように、上記環状ダイ１から案内板６に至るインフレーションフィルム２の通路上には、インフレーションフィルム２の厚みを検出する厚み検出部９が設けられる。厚み検出部９は図示しない薄い板をインフレーションフィルム２の表面に接触させることでインフレーションフィルム２の厚みをμｍ単位で測定可能なセンサである。この厚み検出部９は市販品であり公知であるから説明を省略する。
【００２４】
上記回転機構８は、ラインコントローラ１０からの信号入力により制御され、所定の信号が送られることによって、上記ピンチロール３等を上記円筒状のインフレーションフィルム２の軸芯ａを中心として一定速度で回転させる。
【００２５】
従来、ラインコントローラ１０はオペレータの手動によって設定操作がなされ、オペレータによって設定された所望の一定速度で上記回転機構８を介しピンチロール３等を回転させるようになっていたが、本発明では上記厚み検出部９から送られる厚みデータに基づいて各種演算を行う演算装置１１からの出力によって速度設定がなされる。
【００２６】
ここで、上記演算装置１１を用いて上記回転機構８を制御しつつインフレーションフィルム２を製造する方法の一例について説明する。
【００２７】
図１に示すように、環状ダイ１より環状に押出された溶融樹脂を空気で膨張させて円筒状のインフレーションフィルム２を形成し、これを空冷固化させた後に、ピンチロール３で扁平に折り畳み、巻取りロール４として巻き取る。
【００２８】
この作業が開始されて間もなく、オペレータがインフレーションフィルム２上での偏肉２ａの発生を認めると、ラインコントローラ１０を操作し、回転機構８によってピンチロール３等に上記軸芯ａを中心にした一定速度の回転を行わせる。あるいは、偏肉２ａの発生を認めなくとも、いずれ発生するものとして予め回転機構８によってピンチロール３等に過去の経験に基づいた一定の速度で回転を行わせる。
【００２９】
上記ピンチロール３の上記軸芯ａを中心とした一定速度の回転運動によって円筒状のインフレーションフィルム２は捩じられつつ上昇し、偏肉２ａはインフレーションフィルム上に螺旋形の筋になって現れる。これにより、インフレーションフィルム２の巻取りロール４における幅方向での巻径の偏りはある程度緩和される。
【００３０】
しかし、巻取りロール４の巻径の偏りは上記回転速度を増速又は減速することによって更に低減する可能性があり、また、偏肉２ａの大きさがインフレーションフィルム２の製造中に変化し現在の回転速度では巻取りロール４の巻径の偏りを低減し難くなる場合もある。
【００３１】
そこで、本発明は、定期的に図２（Ａ）に示すようなインフレーションフィルム２の厚みデータを厚み検出部９から検出し、同図（Ｂ）に示すような巻取りロール４の巻径を演算装置１１によって演算する。
【００３２】
図２（Ａ）の厚みデータは、捩じられつつ上昇する円筒状インフレーションフィルム２の半周分の厚さを厚み検出部９で測定して得られたものである。これは扁平に折り畳まれるインフレーションフィルム２の上層又は下層における巻取りロール４の幅方向における厚さに対応する。また、同図（Ｂ）の巻径のデータは、図２（Ａ）の厚みデータを一層ごとに３．５ｍｍだけ同図横軸の右方向に移動させることで、２１０回積層した場合の計算結果を示す。この移動速度は上記一定の回転速度に対応している。
【００３３】
次に、上記図２（Ａ）の厚みデータをもとにして図３（Ａ）の厚みデータを演算装置１１によって得る。図３（Ａ）の厚みデータは、上記回転速度を三倍に増速したものとして計算した結果であり、図２（Ａ）の厚みデータと比べると横軸方向で位相がずれている。この図３（Ａ）の厚みデータを一層ごとに２００ｍｍだけ横軸の右方向に移動させることで、２１０回積層した場合の計算結果は図３（Ｂ）の通りである。この移動速度は上記三倍に増速した回転速度に対応している。
【００３４】
図２（Ｂ）の計算結果と図３（Ｂ）の計算結果を比較すると図４の通りである。図４から明らかなように、回転速度を三倍に増速すると、巻取りロール４の幅方向における巻径の最大差が１／２に改善されている。
【００３５】
演算装置１１は、この図４が示す比較データに基づいて巻径のムラが改善されていることを認識し、ラインコントローラ１０に回転速度を三倍の増速する旨の信号を発し、ラインコントローラ１０は回転機構８を介してピンチロール３等の軸芯ａを中心にした回転速度を以前よりも三倍の速さで回転させる。
【００３６】
その結果、インフレーションフィルム２の巻取りロール４において偏肉２ａの部分が更に一様に分散され、巻取りロール４の幅方向における巻径の均一化が改善される。
【００３７】
＜実施の形態２＞
この実施の形態２では、図５に示すように、環状ダイ１が、回転機構８によって水平面内で回転可能とされる。
【００３８】
なお、環状ダイ１を含む押出し機５が一体で回転可能とされる場合もある。
【００３９】
図５に示すように、環状ダイ１又は押出し機５がインフレーションフィルム２の軸芯ａの周りで回転すると、インフレーションフィルム２は上昇しつつ捩じり運動を行い、その結果偏肉２ａが生じた箇所もインフレーションフィルム２に螺旋形の筋となって現れる。
【００４０】
この実施の形態２においては、実施の形態１と同様に、環状ダイ１を所定の一定速度で回転させた際に厚み検出部９から厚みデータ（図２（Ａ））を得、演算装置１１によって、この厚みデータを用いて巻取りロール４の幅方向で巻径を計算し（図２（Ｂ））、次に上記一定速度を増速又は減速した変更速度下での厚みデータ（図３（Ａ））を計算し、この厚みデータを用いた巻取りロール４の幅方向巻径の計算を行い（図３（Ｂ））、この幅方向巻径のムラが上記一定速度下での幅方向巻径のムラよりも低減していれば、上記一定速度を上記変更速度に変更する旨の信号をラインコントローラ１０に発し、ラインコントローラ１０によって環状ダイ１又は環状ダイ１を含む押出し機５の矢印方向への回転速度を増減する。
【００４１】
これにより、実施の形態１の場合と同様に、インフレーションフィルム２の巻取りロール４において偏肉２ａの部分が更に一様に分散され、巻取りロール４の幅方向における巻径の均一化が行われる。
【００４２】
なお、実施の形態２において、実施の形態１の場合と同じ部分には同じ符号を用いて示し、重複した説明を省略する。
【００４３】
＜実施の形態３＞
この実施の形態３では、図６に示すように、冷却リング１２が回転機構８によって水平面内でインフレーションフィルム２の軸芯ａを中心にして回転可能とされる。
【００４４】
この冷却リング１２は、環状ダイ１とピンチロール３との間に、インフレーションフィルム２を囲むように配置され、内周に穿設された多数の小孔から冷却風をインフレーションフィルム２に吹き付けるようになっている。この冷却リング１２が回転機構８によって軸芯ａの周りで回転すると、まだ熱く柔らかいインフレーションフィルム２は冷却されつつ、かつ捩じられつつ上昇し、その結果図６に示すように偏肉２ａが生じた箇所もインフレーションフィルム２に螺旋形の筋となってに出現する。
【００４５】
この実施の形態３においては、実施の形態１と同様に、冷却リング１２を所定の一定速度で回転させた際に厚み検出部９から厚みデータ（図２（Ａ））を得、演算装置１１によって、この厚みデータを用いて巻取りロール４の幅方向で巻径を計算し（図２（Ｂ））、次に上記一定速度を増速又は減速した変更速度下での厚みデータ（図３（Ａ））を計算し、この厚みデータを用いた巻取りロール４の幅方向での巻径の計算を行い（図３（Ｂ））、この幅方向巻径のムラが上記一定速度下での幅方向巻径のムラよりも低減していれば、上記一定速度を上記変更速度に変更する旨の信号をラインコントローラ１０に発し、ラインコントローラ１０によって冷却リング１２の矢印方向への回転速度を増減する。
【００４６】
これにより、実施の形態１の場合と同様に、インフレーションフィルム２の巻取りロール４において偏肉２ａの部分が更に一様に分散され、巻取りロール４の幅方向における巻径の均一化が行われる。
【００４７】
その他、実施の形態３において、実施の形態１の場合と同じ部分には同じ符号を用いて示し、重複した説明を省略する。
【００４８】
なお、本発明は、上記実施の形態１〜３に限定されるものではなく、種々の変更が可能である。例えば、上記実施の形態１〜３では、インフレーションフィルムが環状ダイからピンチロールに至る間においてインフレーションフィルムの厚みを計測したが、ピンチロールから巻取りロールに至る間においてインフレーションフィルムの厚みを計測することも可能である。また、回転速度の変更に際しピンチロール等の回転を増速するものとして演算したが、減速するものとして演算し、その演算結果によってピンチロール等の回転を減速することも可能である。
【符号の説明】
【００４９】
１…環状ダイ
２…インフレーションフィルム
３…ピンチロール
４…巻取りロール
５…押出し機
１２…冷却リング
【図１】
2012162026.tif 000003
【図２】
2012162026.tif 000004
【図３】
2012162026.tif 000005
【図４】
2012162026.tif 000006
【図５】
2012162026.tif 000007
【図６】
2012162026.tif 000008